(57)【特許請求の範囲】
【請求項１】
前端部及び後端部を有し、内部に開口部を有するキャリヤーと；
上記キャリヤーの上記前端部から上記キャリヤーの上記の後端部に及ぶ複数の電気導体であって、各々の両端部が互いに平行で、しかも互いに一直線上に配置されないようにそれぞれ２箇所で屈曲している電気導体と；
上記キャリヤーの内部に形成された上記開口部中に配置された永久磁石と；
上記キャリヤーの上記前端部に配置され、上記複数の電気導体の少なくとも１本との電気的導通関係に接続された感磁性コンポーネントと；
キャビティ内に上記キャリヤーを収容する形状とされた筺体と；
上記キャリヤーと上記筺体との間に配置されて、筺体のキャビティ内の感磁性コンポーネントの近傍に汚染物質が侵入するのを防ぐシール手段と；
を具備した磁気センサ。
【請求項２】
上記筺体の上記キャビティ中に配置されていて、感磁性コンポーネントと筺体との間の電気的導通を防ぐためのスペーサ手段をさらに具備した請求項１記載のセンサ。
【請求項３】
上記スペーサ手段がエラストマー・ワッシャである請求項２記載のセンサ。
【請求項４】
上記キャリヤーの前端部に接触させて配置され、上記感磁性コンポーネントが取り付けられた支持体をさらに具備する請求項１記載のセンサ。
【請求項５】
上記感磁性コンポーネントがホール素子である請求項１記載のセンサ。
【請求項６】
上記シール手段が変形可能なＯ-リングである請求項１記載のセンサ。
【請求項７】
上記キャリヤーが、その前端部と筺体との間に圧力が高まるのを防ぐことによりキャリヤーを筺体に挿入し易くするための空気通路を具備する請求項１記載のセンサ。
【請求項８】
上記永久磁石が成形磁石である請求項１記載のセンサ。
【請求項９】
前端部及び後端部を有し、内部に形成された開口部を有する成形プラスチック・キャリヤーと；
上記成形プラスチック・キャリヤーのボディ中に配置されていて、上記成形プラスチック・キャリヤーの上記前端部から上記成形プラスチック・キャリヤーの上記後端部に及ぶ複数の電気導体であって、各々の両端部が互いに平行で、しかも互いに一直線上に配置されないようにそれぞれ２箇所で屈曲している電気導体と；
上記キャリヤーの内部に形成された開口部内に配置された永久磁石と；
上記成形プラスチック・キャリヤーの上記前端部に配置されていて、上記複数の電気導体の少なくとも１本と電気的導通関係に接続された感磁性コンポーネントと；
内部キャビティに上記成形プラスチック・キャリヤーを収容する形状を有する筺体と；
上記筺体の上記キャビティ中に配置されていて、上記感磁性コンポーネントと筺体との間の電気的導通を防ぐためのスペーサ手段と；
上記成形プラスチック・キャリヤーと上記筺体との間に配置されていて、筺体の上記キャビティ内の上記感磁性コンポーネントの近傍に汚染物質が侵入するのを防ぐためのシール手段と；
を具備した磁気センサ。
【請求項１０】
上記スペーサ手段がエラストマー・ワッシャである請求項９記載のセンサ。
【請求項１１】
上記成形プラスチック・キャリヤーの上記前端部と接触させて配置されていて、上記感磁性コンポーネントが取り付けられた支持体をさらに具備した請求項９記載のセンサ。
【請求項１２】
上記感磁性コンポーネントがホール素子である請求項９記載のセンサ。
【請求項１３】
上記シール手段が変形可能なＯ-リングである請求項９記載のセンサ。
【請求項１４】
上記筺体が金属製で、上記キャリヤーをその中に保持するよう変形されている請求項９記載のセンサ。
【請求項１５】
前端部及び後端部を有し、内部に形成された開口部を有する成形プラスチック・キャリヤーと；
上記成形プラスチック・キャリヤーのボディ中に配置されていて、上記成形プラスチック・キャリヤーの上記前端部から上記成形プラスチック・キャリヤーの上記後端部に及ぶ複数の電気導体であって、各々の両端部が互いに平行で、しかも互いに一直線上に配置されないようそれぞれ２箇所で屈曲している複数の電気導体と；
上記キャリヤーの内部に形成された開口部内に配置された永久磁石と；
上記成形プラスチック・キャリヤーの上記前端部に配置されていて、上記複数の電気導体の少なくとも１本と電気的導通関係に接続された感磁性コンポーネントと；
内部キャビティに上記成形プラスチック・キャリヤーを収容するように成形された筺体と；
上記成形プラスチック・キャリヤーの前端部と接触させて配置されていて、上記感磁性コンポーネントが取り付けられた支持体と；
上記筺体の上記キャビティ中に配置されていて、上記感磁性コンポーネントと筺体との間の電気的導通を防ぐためのエラストマー・ワッシャよりなるスペーサ手段と；
上記成形プラスチック・キャリヤーと上記筺体との間に配置されていて、筺体の上記キャビティ内の上記感磁性コンポーネントの近傍に汚染物質が侵入するのを防ぐためのシール手段であって、筺体が内部に該シール手段を受支する形状に内部変形されているシール手段と；
を具備した磁気センサ。
【請求項１６】
上記感磁性コンポーネントがホール素子である請求項１５記載のセンサ。
【発明の詳細な説明】
発明の背景
発明の分野
本発明は、広義には磁気センサに関し、より詳しくは、金属筺体中に収容されるよう形成された成形インサート（埋込インサート）よりなり、個々の構成部品の組立てが容易になるような独特の設計に基づく複数の構成部分よりなるセンサに関する。
従来技術の説明
ホール素子を組み込んだ磁気センサは当業者にとって周知である。この種のセンサは、センサの近傍のあらかじめ設定された検出ゾーン内の透磁性物体の動きを検出するために広く用いられている。例えば、この汎用形のセンサは、内燃機関の種々の構成要素の動作を同期させるのに、歯車の歯または回転可能な物体から突出するその他の磁性突起部の通過を検出するために用いられる。このような応用の場合、磁気歯センサは、内燃機関のカムシャフトまたは他の回転可能な構成部分の回転位置を検出して、エンジンのタイミング制御に必要な信号を得るために使用することができる。
歯センサはいくつかの周知の方法で製造される。ある種の歯センサにおいては、ホール素子を取り付けたフレキシブル配線回路をプラスチックチューブ中に配置されたプラスチックインサートに取り付ける。そのフレキシブル配線回路は、ホール素子を含むいくつかの構成部分と電気的導通関係に接続されている。インサートをプラスチック筺体中に配置した後、多量の硬化性材料を筺体中のインサート及び他の構成部品の周りに射出により注入し、十分に硬化させて、インサート及び関連の構成部品を筺体中に永久的に埋め込む。この種のセンサの１つの欠点は、注入材料の硬化にかなりの時間を要し、また硬化炉を用いる必要があることである。これらの余分の作業は、掃除がしばしば必要であり、時間及びコストがかかる。さらに、頻繁な掃除には、溶剤をしばしば必要とし、これが環境に有害な作用を及ぼすことにもなる。
上記のプロセスを用いて歯センサを製造する場合は常に、その完成品の外形は通常その最終用途によって決まる所定の形状に合致しなければならない。歯センサを内燃機関に適用する場合は、エンジンブロックまたは関連の装置のような外部の物体に適切に取り付けることができるように、歯センサを毎回それぞれ特定の形状及び寸法にしなければならないこともある。歯センサを封入し、その最終的な外形を決定するのに使用される各特定の手段にかかわらず、歯センサ内部の構成部品は、プラスチック筺体中に注封する前、または外部の保護筺体にいれて射出成形する前の予備組立て作業時に保護を講じなければならない。そのために、次の製造工程における苛酷な環境にも、厳しい取り扱いにも耐えられる十分な頑丈さを有する中間の組立て構造を持つ歯センサが得られるならば、非常に有益であろうと思われる。
１９９２年６月９日付でガグリアーディ（Ｇａｇｌｉａｒｄｉ）に交付された米国特許第５，１２１，２８９号には、能動型センサ素子及び付随電気回路を互いに所定の関係に保持するとともに、封入材料が射出口からベント付きオーバフロー口へ流れ易くするための互いに順次つながれた複数の内部キャビティを設けるために用いられるいくつかの内部支持部品を有する外部筺体を含む封入型センサアセンブリが記載されている。これによれば、内部キャビティを封入材料で完全に満たして、筺体中の内部構成部品を確実に拘束することができる。このセンサアセンブリによれば、ボイドのない封入構造が得られる。
１９９２年８月１８日付でストールファス（Ｓｔｏｌｆｕｓ）に交付された米国特許第５，１４０，２６２号には、中心線が回転部材の回転の中心と交わらないような関係となるように形成されたた歯センサが開示されている。このストールファスの特許は、封入のための手段を特定的に記載していないが、センサの能動部品が内部に配置された筺体を有する歯センサを開示している。上記のガグリアーディ及びストールファスの特許はどちらも、通常筺体に封入剤を注入して、センサの様々な構成部品をその位置が動かないように保持するようにした一般的な形態の歯センサを記載したものである。封入剤は、注入後何らかの方法で硬化させなければならない。
発明の概要
本発明は、例えばデクスター・コーポレーション（Ｄｅｘｔｅｒ  Ｃｏｒｐｏｒａｔｉｏｎ）社から商業ベースで入手できるような硬化性材料を使用することなく、また射出成形筺体の必要なく、筺体中にキャリヤーを配置した磁気センサを提供するものである。本発明の一実施態様は、前端部、後端部、及び構造中に形成された開口部を有するキャリヤーよりなる。本発明の特に好適な実施態様においては、そのキャリヤーは成形プラスチックで形成する。キャリヤーの前端部から後端部まで複数の電気導体を張設し、本発明の特に好適な実施態様においては、その電気導体をキャリヤーのボディ中に埋込み成形する。
キャリヤー中に形成された開口部には、永久磁石を設け、キャリヤーの前端部には、感磁性コンポーネントを配置する。この感磁性コンポーネントは、ホール素子であってもよく、キャリヤーの前端部より延びる複数の電気導体の中の少なくとも１本と電気的に接続する。筺体は、キャリヤー及び関連の構成部品を内部キャビティに収容するよう形成し、汚染物質が筺体のキャビティ中の感磁性コンポーネントの近傍に侵入するのを防ぐために、Ｏ-リングのようなシール手段を設ける。
筺体がステンレス鋼のような導電性材料製の場合は、筺体のキャビティ内にスペーサ手段を設けて、感磁性コンポーネントと筺体との間の電気的導通を防ぐ。このスペーサ手段は、シリコーンゴム製のエラストマー・ワッシャであってもよい。本発明の特に好適な一実施態様においては、キャリヤーの前端部に接触させて支持体を設け、この支持体に感磁性コンポーネントを取り付ける。支持体は、セラミック材料で形成することができ、あるいはフレキシブル配線回路またはプリント回路基板であってもよい。キャリヤー外形と筺体内面との間の公差を厳密に維持しつつキャリヤーの筺体への挿入を容易にするために、キャリヤーの一部に空気通路を形成して、挿入作業中にキャリヤーの前端部と筺体の閉端部との間に圧力が蓄積されるのを防ぐ。
筺体の開放端は、その中のキャリヤーを動かないように保持するよう変形加工することができるが、本発明の他の実施態様では、起こり得る汚染物質の侵入や損傷に対して感磁性コンポーネントを一層保護するために、筺体の周囲に射出成形外被を設ける。さらに、この射出成形外被は、歯センサを内燃機関の特殊な形状の部品と共に用いることができるよう、歯センサの特定の形状を定めるためにも使用することができる。
【図面の簡単な説明】
以下、本発明を下記の図面に示す実施形態に基づきさらに詳細に説明する。
図１は、本発明の一実施形態の分解図である。
図２は、本発明のもう一つの実施形態の分解図である。
図３は、本発明において使用するシール手段の断面図である。
図４は、本発明のキャリヤーの斜視図である。
図５は、図４に示すキャリヤーの上面図である。
図６は、本発明のキャリヤーの断面図である。
図７は、図４に示すキャリヤーの底面図である。
図８は、本発明の一実施形態の断面図である。
図９は、図８に示す本発明の一部分の端面図である。
図１０は、本発明の筺体を示す断面図である。
図１１は、本発明の一実施形態に使用する支持体を示す平面図である。
図１２は、本発明による磁気センサの一実施形態の概略電気回路図である。
図１３及び１４は、それぞれ本発明で使用する電気導体を示す平面図及び側面図である。
図１５は、本発明の磁気センサの大量生産用の共通構造に接続された数組の電気導体を示す平面図である。
好ましい実施形態の説明
以下の実施形態の説明を通して同じ構成部分は同じ参照符号で示してある。
図１は、本発明の特に好適な実施形態の分解斜視図である。キャリヤー１０は、そのボディ内に埋め込まれた複数の電気導体１２、１４及び１６を有する。符号２０及び２２は、それぞれキャリヤー１０の前端部及び後端部である。電気導体１２、１４及び１６は、図１に示すように、完全にキャリヤー１０の全長にわたり、かつ前後両端部からさらに外方に延びている。キャリヤー１０には、開口部３０が形成されている。この開口部３０は、その中に磁石３４を受ける形状となっている。
磁石３４としては、焼結永久磁石または成形永久磁石を用いることができる。ネオジム、ホウ素及び鉄よりなる成形永久磁石は、当業者に周知であり、商業ベースで入手可能である。成形磁石は、製造効率を高めるとともに高い寸法精度が得られ、成形プロセス後の研削や整形が不要なこともしばしばある。ネオジム、ホウ素及び鉄よりなる磁石は、歯センサに使用した場合、歯とスロットの状態に明確な差が生じる。さらに、成形磁石は、歯とスロットの差に関して改良された温度安定性を示し、また周知の大半の焼結磁石と比べてより高い磁気強さを示す。本発明の一実施形態では、開口部３０を設け、磁石３４をその開口部に挿入した形で使用するが、キャリヤー１０を磁石３４の周りに成形することもできるということは理解できよう。
さらに図１を参照して説明すると、感磁性コンポーネント３８がキャリヤー１０の前端部に配置され、支持体４０に取り付けられている。図１には詳細には示してないが、支持体４０は、複数の導電部を有し、これによって感磁性コンポーネント３８を電気導体１２、１４及び１６と電気的に導通するよう接続することができる。キャリヤー１０の前端部から延び出た電気導体の部分は、支持体４０に形成された開口部４２、４４及び４６に受けられる。支持体４０には、以下にさらに詳細に説明するような他の構成部品も取り付けられており、感磁性コンポーネント３８及び電気導体と導通関係になるよう接続されている。
筺体５０は、キャリヤー１０、永久磁石３４及び支持体４０のアセンブリを収容するような形状とされている。筺体５０は、ステンレス鋼のような金属、またはプラスチックで製造することができる。筺体５０を作るのに使用する材料は、特定用途のために意図された検出機能を遂行することが可能な任意の適切な材料を選択することができる。筺体５０をステンレス鋼のような導電性材料を形成する場合は、支持体４０の部品と筺体５０の閉端部５６との間の電気的導通を防ぐために、例えばスペーサ５４を使用することができる。
センサは磁界の強さと方向を検出することにより動作するので、筺体５０に使用する材料は、低透磁率のものを選択すべきである。このために適用可能な１つの具体的な材料としては３０４グレードのステンレス鋼がある。この材料は、筺体５０の形状にすると、十分な磁気特性を示すということが確認されている。
汚染物質が筺体５０内の空間の感磁性コンポーネント３８及びその関連部品の近傍に侵入するのを防止するための手段が設けられている。この手段は、キャリヤー１０の周上の溝６２内に配置されたＯ-リング６０よりなる。シール手段６０の寸法及び形状は、筺体５０の内面のキャリヤー１０との間に十分なシールが確保されるよう選定する。
本発明の特に好適な実施形態においては、キャリヤー１０に空気通路７０を形成して、空気がキャリヤー１０の前端部２０を通って流れることができるようにし、キャリヤーを筺体５０に挿入する際に圧力が蓄積されるのを防ぐ。キャリヤー１０の外径と筺体５０の内径は、両者が比較的密な締り嵌めとなるような寸法にすることが好都合であるから、空気通路７０は、キャリヤー１０を筺体に挿入する際、筺体内の圧力が増加するのを防ぐのに役立つ。この空気通路７０がないと、挿入作業が困難になり、おそらくキャリヤーの外周と筺体の内周の間の隙間をさらに大きくすることが必要になると考えられる。この組立て作業さらに容易にするために、リブ７４をキャリヤー１０の外形の一部として設けてある。このリブ７４は、筺体５０のフロントリップ７６が筺体構造に引っかかるのを防ぐ。
図２は、本発明の他の実施形態を示す。図１と図２に示す実施形態の間の差は比較的僅かである。図１に示す支持体４０は、キャリヤー１０の前端部２０に形成された複数の突起部と符合する特別な形状に形成されている。参照符号９０、９２、９４、９６及び９７で示すこれらの突起部は、支持体４０の外縁部の形状と符合し、またキャリヤーの前端部２０から延び出た電気導体１２、１４及び１６と共に、感磁性コンポーネント３８を筺体の閉端部５６に関して適切な位置に正しく設定するのに役立つ。
図２に示す実施形態では、図１の支持体４０に代えて、全体的に円い形で、図１の支持体４０に見られる特別な形状の外縁部を持たない支持体１００が用いられている。図２に示す支持体１００では、上記のような特別な形状の外縁部の代りに、開口部１０２が設けてある。さらに、図２のキャリヤー１０は、その前端部から延び出る突起が設けられていない。その代りに、キャリヤーの前端部に１本のピン１０４が形成してあり、このピンは開口部１０２に受けられるような形状を有する。従って、支持体１００は、開口部１０２及び開口部４２、４４及び４６に挿入されるピン１０４及び電気導体１２、１４及び１６の位置によって、キャリヤー１０に対して十分正確な位置に揃えることができる。図１と図２に示す支持体４０、支持体１００及びキャリヤーの前端部の間の上記の相違点以外、これら２つの実施形態は全体的に互いに同じである。図３は、Ｏ-リングよりなるシール手段６０の断面図で、図示のＯ-リングは、キャリヤー１０及び筺体５０と共に使用する際の封止能力を大きくするために、適切な溝が設けられている。
図１及び２から明らかなように、本発明の構成部品は全て、中心軸１１０の方向に沿って組み立てられる。このように構成部品同士及び構成部品の筺体５０に対する組立て方向が一貫しているために、本発明においては、自動組立工程が容易になる。本発明は、特に、個々の構成部品を相互にこの共通軸に沿って組み立てることができるようにすることを企図したものである。
図４は本発明のキャリヤー１０の斜視図である。図５はキャリヤー１０の上面図を示す。図示のように、リブ７４は、前記目的のために前端部２０と後端部２２との間にわたっている。さらに、溝６２は、図示のように、Ｏ-リング６０を受けるため、キャリヤー１０の周面の全周にわたって形成されている。
図６はキャリヤー１０とその中に配置された永久磁石３４との断面図である。図６には電気導体１４の形状も示してある。図から明らかなように、電気導体１４は、２つの端部が互いに平行であるが、意図的に一直線上に位置しないようにした構造が得られるよう、２箇所で曲げてある。このように両端部を一直線上に揃えないことは、センサ全体の結着性ないしは一体性を維持する上において重要な長所となる。電気導体１２、１４及び１６は、通常、キャリヤー１０を作るのに用いる材料とは熱膨張率が異なる材料で形成する。歯センサの多くの用途においては、センサが広範囲の温度条件に耐えることが要求されるので、電気導体とキャリヤー１０は、異なる熱膨張にさらされると考えられる。例えば、電気導体１２、１４及び１６は、通常銅またはリン青銅で製造し、一方、キャリヤー１０は、通常強化ポリエーテルイミドまたは強化ポリブチレンテレフタレートのような成形可能な熱可塑性物質で製造する。センサが厳しい温度変化に曝されると、導体とキャリヤーが互いに著しく異なる速度で膨張することにもなる。図６に示す電気導体の形状は、このような寸法変化時に導体をキャリヤー１０のボディ中に保持するのに役立つ。電気導体がキャリヤー１０中で一直線上に延びていると、熱膨張・収縮によって電気導体の外面がこれを直に取り囲むキャリヤーの材料から分離し、この分離の結果、キャリヤー１０の後端部２２とその前端部２０との間に漏れ経路が生じ得る。このような漏れ経路が生じると、ガソリンまたはオイルのような汚染物質がキャリヤーの前端部２０と筺体５０の閉端部５６との間の空間に浸入する結果につながる。電気導体の２箇所に曲げ部を形成すると、このような導体とその周囲のキャリヤー１０の材料との分離を防ぐのに役立つ。
さらに図６を参照して説明すると、図から明らかなように、キャリヤー１０の内部には、キャリヤーの内部キャビティの底の位置にスペース１３０が形成されている。このスペース及びキャリヤー１０の構造中に形成された他のスペースは、キャリヤーを形成するために用いられる射出成形プロセスが行い易く、しかも材料が硬化する際の歪みを防止することができる位置に設けることが好都合である。
図７は、キャリヤー１０の底面図を示す。電気導体１２、１４及び１６は、キャリヤー１０の底面の開口部を通して見ることができる。図７には、２つの穴１４０及び１４２も示されている。これらの穴は、電気導体の周りにキャリヤーを成形する射出成形プロセスで用いられるピンによって生じる。電気導体は、これらのピンが射出成形プロセスにおいて導体をそれらの正確な位置に保持することができるよう特別な形状に形成され、このようにしないと、導体同士の位置及びキャリヤーの外面形状に対する導体の位置が揃わない。
図８は、筺体５０内に配置されたキャリヤー１０の縦断面図を示す。筺体中にキャリヤー１０を組み込んだならば、筺体のリップ７６を変形し、キャリヤーの後端部２２上に曲げて、キャリヤーを筺体のキャビティ中に動かないように保持する。図９は、図８の横断面図である。図９には、ホール素子のような感磁性コンポーネント３８、コンデンサＣ１〜Ｃ３、及び抵抗器Ｒ１、Ｒ２の相対位置が示してある。感磁性コンポーネント３８は、一般に周囲のプラスチックケース内に注封されるので、感磁性コンポーネントと筺体５０の閉端部５６との間の電気的導通は普通は起こりそうにない。しかしながら、スペーサ５４は、支持体４０上の他の構成部品と筺体５０の閉端部５６との間の電気的導通を防ぐのに役立つ。図１０は、筺体５０の断面図であり、閉端部５６及び筺体の開放端部の周りに延びたリップ７６が示されている。
図１１には、支持体４０及びこれに各電気部品を取り付ける位置が示してある。これらの電気構成部品と感磁性コンポーネント３８は、支持体４０の表面上に設けられた複数の導電ランによって互いに電気的導通関係に接続されている。これらの導電ランと電気導体１２、１４及び１６とを接続するために、それぞれパッドＰ１、Ｐ２及びＰ３が設けてある。
図１２は、コンデンサＣ１、Ｃ２及びＣ３と、抵抗器Ｒ１及びＲ２と、感磁性コンポーネント３８との間の相互接続を示す概略回路図である。電気導体１２、１４及び１６は、内燃機関の制御装置のような外部の装置に本発明の構成部品を接続するための手段として用いられる。
また、図１１には、本発明のもう一つの長所が示されている。電気回路が電磁妨害雑音すなわちＥＭＩに曝される可能性がある場合、設計の対称性によって、ＥＭＩにより引き起こされるマイナスの効果を著しく低減することができるということが分かった。支持体４０上の各構成部品は、ＥＭＩの影響を小さくするために、互いに非常に近接させて配置する。さらに、これらの部品は、対称的な関係が得られるように配置する。この構成によれば、支持体４０の表面上の導電ランを対称パターンとして配置することができる。また、このセンサの全体的構造によれば、支持体４０を通常プラスチックインサートの一部分の周りに広がるフレキシブル配線回路を組み込んだ従来周知の設計に比べてはるかに小さくすることができる。長い支持体またはフレキシブル配線回路を用いる場合、支持体またはフレキシブル配線回路上の導電ランによって、装置全体が電磁妨害雑音の悪影響をはるかに受け易くなる。
図１３及び１４は、電気導体１２、１４及び１６の形状を示す。前に図６によって説明したように、キャリヤー１０を通る漏れ経路の形成を防ぐため、ベンド１６０及び１６２が設けられている。電気導体に形成したノッチ１７０及び１７２は、前に図７によって説明した穴１４０及び１４２と合わせるためのものである。これらのノッチは、ピンとの共作用により、キャリヤー１０を形成するための射出成形プロセスの間、キャリヤー１０に対する電気導体の正確な位置を保持するする。図１５は、数組の電気導体よりなる単体アセンブリ１８０を示す。これによれば、上に説明したキャリヤーの大量生産が可能である。１回の射出成形ステップで複数のキャリヤーを製造した後、それらの成形されたキャリヤーを、リード線はキャリヤーのボディ中に閉じ込めたまま、次の組立てステップへ自動的に移動させることができる。図１５の図は、ベンド１６０及び１６２を形成するための電気導体の曲げ加工前の状態を示している。図１５に示す穴は、曲げ加工及び射出成形プロセスにおいて位置を合わせる目的のために使用される。
本発明によれば、いくつかの重要なやり方で製造が容易になる磁気センサが得られる。例えば、センサを製造するために用いられる個々の構成部品は全て、共通軸に沿って相互に組み付けることができる。さらに、本発明で使用する電気導体は、キャリヤーのボディと電気導体との間の熱膨張率の差によって損傷が発生するのを阻止するような形状を有する。また、本発明においては、キャリヤーを筺体に挿入した後、汚染物質がセンサの動作に悪影響を及ぼすのを防ぐために、シール手段を設ける。本発明の構造は、組立て後の射出成形工程において筺体５０内の部品を損傷することなく容易に扱うことができる頑丈な構造が得られる。これらの組立て後の射出成形工程では、センサの所期の用途の特定の要求に合致するよう、筺体の周囲に付加的な構造を設けることができる。あるいは、本発明は、一部の用途の場合、後段の成形による外被なしで使用することも可能である。
以上、本発明を詳細にかつ高度の具体性をもって説明したが、他の実施形態も本発明の範囲内に包括されるものと解すべきである。さらに、図面に示しかつ上に記載した各特定の形状及び構造は、本発明の範囲に制限を加える意味を有するものと見なすべきではない。
【図１】
0003786687.tif 000002
【図２】
0003786687.tif 000003
【図３】
0003786687.tif 000004
【図４】
0003786687.tif 000005
【図５】
0003786687.tif 000006
【図６】
0003786687.tif 000007
【図７】
0003786687.tif 000008
【図８】
0003786687.tif 000009
【図９】
0003786687.tif 000010
【図１０】
0003786687.tif 000011
【図１１】
0003786687.tif 000012
【図１２】
0003786687.tif 000013
【図１３】
0003786687.tif 000014
【図１４】
0003786687.tif 000015
【図１５】
0003786687.tif 000016